(57)【特許請求の範囲】
【請求項１】
回動可能な便座及び便蓋と、便座後方のケーシング前面部に設けた人体検知センサと、便座後方のケーシング前面部に設けた第２の人体検知センサと、前記便座、便蓋の姿勢を感知する便座開閉検知装置及び便蓋開閉検知装置と、自動的に便器洗浄を行なう便器洗浄モータとを備え、前記人体検知センサと第２の人体検知センサの感知領域を前記便座の倒伏状態と開放状態の間にした便座装置において、
前記便座開閉検知装置及び便蓋開閉検知装置により、便座、便蓋がともに閉止していると検知したときに前記人体検知センサの通電をＯＦＦし、前記便座開閉検知装置及び便蓋開閉検知装置により便座が閉止し便蓋が開放していると検知したときに前記人体検知センサの通電をＯＮしてなり、前記便座開閉検知装置及び便蓋開閉検知装置により便座及び便蓋が開放していると検知したときに前記第２の人体検知センサの通電をＯＮしてなり、前記人体検知センサまたは第２の人体検知センサが人体が便器から離れたことを検知すると前記便器洗浄モータを駆動するように成す制御部を設けたことを特徴とする便座装置。
【請求項２】
さらに、前記便蓋を自動的に開閉する便蓋開閉モータを備え、前記人体検知センサが人体が便器から離れたことを検知すると前記便蓋開閉モータを閉止することを特徴とする請求項１記載の便座装置。
【発明の詳細な説明】
【０００１】
【発明の属する技術分野】
本発明は、使用者の有無を検知する人体検知センサを備えた便座装置に関する。特に、局部衛生洗浄装置、自動便蓋・便座開閉装置、大便器自動洗浄装置など、便座上、もしくは、便器使用者の有無を検知する人体検知手段を有する便座装置に好適である。
【０００２】
【従来の技術】
従来、図１７に示すように、衛生洗浄装置のケーシング一側に操作ボックス３７を設け、その中に、便器使用者の有無を検知する人体検知センサ１０を設けたものである。この人体検知センサ１０は、便座５，便蓋６が倒伏状態にあるときは、便蓋６の上方に向けて投光し、便座５、便蓋６が開放状態にあるときは、便座５の下方に向けて投光する光センサ式である。その人体検知センサの検知信号に基づいて、脱臭の動作、及び、洗浄等のスタンバイを可能となる。
また、実開昭６１−１５２０７９号に見られるものを詳述すると、図１８に示すように、ケーシング４の便座後端部３５に便器使用者の有無を検知する人体検知センサ１０を設けたものである。この人体検知センサ１０は、便座５，便蓋６が倒伏状態にあるとき、便蓋６の裏面部と便座５の座面との隙間から投光する光センサ式である。これによれば、ケーシング一側に操作ボックス等を設け、そこに光センサを配設する必要がなくなりデザイン性が向上する。また、狭いスペースにも衛生洗浄装置を設置することが可能となる。
【０００３】
【発明が解決しようとする課題】
しかしながら図１７のような構成では、ケーシング一側に操作ボックス３７等を設ける必要があるため、外観上問題があった。また、狭いスペースにも衛生洗浄装置を設置することができないという欠点があった。また、図１８のような構成では、便座５、便蓋６を倒伏状態にあるとき、人体検知センサ１０の感知領域３６が便蓋６、もしくは、便座５に干渉し、誤検知することがあった。さらに、便座、あるいは、便蓋にカバーを装着したときには、そのカバーの取付状態により誤検知することがしばしばあった。
また、便座、便蓋の誤検知を無くすために、便座、便蓋が倒伏状態にあるときの便蓋の裏面部と便座の座面との隙間を大きくとることも考えられる。しかし、そのような構成では、便蓋が盛り上がった形状となりデザイン性が悪くなる。
本発明は、上記課題を解決するためになされたもので、本発明の目的は、これら外観を著しく損なうことなく便座上の人体、または、便器前の人体を検知する便座装置を提供することにある。また、便座、または、便蓋を誤検知しない便座装置を提供することにもある。
【０００４】
【課題を解決するための手段及び作用・効果】上記課題を解決するために、請求項１では、回動可能な便座及び便蓋と、便座後方のケーシング前面部に設けた人体検知センサと、便座後方のケーシング前面部に設けた第２の人体検知センサと、前記便座、便蓋の姿勢を感知する便座開閉検知装置及び便蓋開閉検知装置と、自動的に便器洗浄を行なう便器洗浄モータとを備え、前記人体検知センサと第２の人体検知センサの感知領域を前記便座の倒伏状態と開放状態の間にした便座装置において、前記便座開閉検知装置及び便蓋開閉検知装置により、便座、便蓋がともに閉止していると検知したときに前記人体検知センサの通電をＯＦＦし、前記便座開閉検知装置及び便蓋開閉検知装置により便座が閉止し便蓋が開放していると検知したときに前記人体検知センサの通電をＯＮしてなり、前記便座開閉検知装置及び便蓋開閉検知装置により便座及び便蓋が開放していると検知したときに前記第２の人体検知センサの通電をＯＮしてなり、前記人体検知センサまたは第２の人体検知センサが人体が便器から離れたことを検知すると前記便器洗浄モータを駆動するように成す制御部を設けたことを特徴とする。
【０００５】
また、請求項２においては、前記便蓋を自動的に開閉する便蓋開閉モータを備え、前記人体検知センサが人体が便器から離れたことを検知すると前記便蓋開閉モータを閉止することを特徴とする。
【０００６】
この発明によれば、便座使用者の有無を検知することが可能となり、便座使用者がいるときは、人体検知センサまたは第２の人体検知センサによる検知信号に基づいて、脱臭の動作、及び、洗浄等のスタンバイができる。そして、用足し後に便器から離れれば、人体検知センサにて人体が便器から離れたことを検知でき、非検知信号に基づいて、自動的に便蓋を閉じたり、便器洗浄することができる。さらには、便座，便蓋が開いた状態にあるときには人体検知センサの通電をＯＦＦさせ、便蓋のみが開いている状態では第２の人体検知センサの通電をＯＦＦさせ、その上、便座，便蓋の両方が閉じているときには全ての人体検知センサの通電をＯＦＦさせるため、通電時間が短くなったり、人体検知センサの寿命が向上する。
【０００７】
以上にように、ケーシング一側に操作ボックス等を設ける必要がなくなり、また、便座、便蓋が倒伏状態にあるときの便蓋の裏面部と便座の座面との隙間を大きくとることも必要なくなり、デザイン性が向上する。
また、衛生洗浄装置本体がコンパクトになるため、狭いスペースにも設置するかとが可能となる。
さらに、便座、あるいは、便蓋にカバーを装着したときでも、そのカバーの取付状態による誤検知が極めて少なくなる。
【０００８】
【発明の実施の形態】
本発明の実施の形態を、局部衛生洗浄装置により説明する。
図１は、本発明の衛生装置の実施例である衛生洗浄装置を洋風便器に装着した外観図、図２は、人体検知センサをケースプレートに取り付けた状態図、図３は、便座、便蓋、係合軸、ケーシング、回転減速装置の取付状態を示す図、図４は、回転減速装置に磁石を装着し、ホールＩＣ基板を取り付けた状態を示す図、図５は、回転減速装置に磁石を装着し、ホールＩＣを取り付けた状態の断面図、
図６は、磁石とホール素子の位置関係を示す図、図７は、便座の倒伏状態と開放状態における人体検知センサの感知領域を示す図、図８は、便座、便蓋が倒伏状態における人体検知センサ、便座、便蓋、ケースカバー、フィルターの状態を示す断面図、図９は、便座が倒伏状態で、且つ、便蓋が開放状態における人体検知センサ、便座、便蓋、ケースカバー、フィルターの状態を示す断面図、図１０は、便座、便蓋が開放状態における人体検知センサ、便座、便蓋、ケースカバー、フィルターの状態を示す断面図、図１１は、人体検知センサと、第２の人体検知センサをケースプレートに取り付けた状態図、図１２は、便座、便蓋が開放状態における人体検知センサ、第２の人体検知センサ、便座、便蓋、ケースカバー、フィルターの状態を示す断面図、図１３は、衛生洗浄装置の制御系統を示すブロック図、図１４は、第一の実施例のタイムチャートを示す図、図１５は、第二の実施例のタイムチャートを示す図、図１６は、人体検知センサと第２の人体検知センサの波長域を示す図である。
【０００９】
以下本発明の第一の実施例を図１〜１０、１３を参照しながら説明する。これらの図において、１は衛生洗浄装置本体であり、洋風便器２の上に載置固定されている。そして、衛生洗浄装置本体１の底部のケースプレート３の上に、ケーシング４が取り付けられ、ケーシング４には便座５及び便蓋６が開閉可能に一体的に組み付けられている。
人体検知センサ１０は、センサ取付台９に挿入された状態で引っかかり部に係合し、センサ取付台９はケーシング４の中でセンサ取付台固定具８でセンサ取付台用ボス７に取り付けられている。
人体検知センサ１０は、発光部と受光部を持つ光センサ式であり、ケースカバー４には、光を透過するフィルター１１が設けられている。
ケースプレート３とケーシング４の前面下端部の中には、回転減速装置１２が固定具（ビス）にてケースプレートのボスに取り付けられている。係合軸１３は、ケースカバーの貫通穴１４を貫通して、回転減速装置１２の係合穴部１５に係合している。一方、係合軸１３の他方は、便座Ｕ字貫通穴部１６を貫通し、便蓋Ｕ字係合穴部１７に係合されている。
回転減速装置１２は、回転減速装置本体１９、回転減速装置軸２０、回転減速装置軸２０をガイドする軸受け２１、回転減速装置軸２０を固定する本体カバーナット２２、ダンパー室３４のオイルを密封するＯリング２３、２４、回転減速装置軸２０に内蔵され便座５または便蓋６と共に回動する磁石２８から構成される。
ホールＩＣ基板３２には、ホール素子３３が装着されており、回転減速装置１２のホールＩＣ基板取付用ボス３１にビスにて固定されている。
人体検知センサ１０の投光角度は、便座５の倒伏角度と開放角度の略中心を狙っている。
これら、人体検知センサ１０、及び、便蓋開閉検知装置４１は、電磁弁４４、流調モーター４５、ノズルモーター４６、脱臭モーター４７、便器洗浄モーター４８、便蓋開閉モーター４９と共に制御部４３に電気的に接続されている。
【００１０】
本例の装置の作用を図６〜１０、１３、１４に基づいて説明する。
便座５，便蓋６が閉じた状態（図８）にあるときには、図６（Ｉ）に示すようにホール素子３３の正面の磁界がＮ極２９となり、便蓋閉状態を検知する。その検知信号により、人体検知センサ１０への通電をＯＦＦさせる。従って、人体検知センサ１０が便蓋６を誤検知することは無くなる。
【００１１】
次に、便蓋６を開くことにより（図９）、図６（ＩＩ）に示すよう、便蓋側の回転減速装置軸２０（磁石２８が組込まれている）が回転し、ホール素子３３の正面の磁界がＮ極２９からＳ極３０に変化し、便蓋開状態を検知する。その検知信号により、人体検知センサ１０への通電をＯＮさせる。この時、人体検知センサ１０は、便座５の倒伏角度と開放角度の略中心を狙って投光する。したがって、人体検知センサの感知領域は便座上方となるため、便座を誤検知することがない。
また、人体検知センサ１０が便座上の人体を検知することが可能となり、便座使用者がいるときは、人体検知センサ１０による検知信号に基づいて、脱臭の動作、及び、洗浄等のスタンバイができる。
そして、用足し後に便器から離れれば、人体検知センサ１０にて人体が便器から離れたことを検知でき、非検知信号に基づいて、自動的に便蓋６を閉じたり、便器洗浄をすることができる。
【００１２】
他方、男性の小便時、すなわち、便座が開いた状態では（図１０）、人体検知センサの感知領域は便座下方となるため、便座を誤検知することがない。
【００１３】
そして、便座５、便蓋６が閉じられることにより（図８）と、便蓋側の回転減速装置軸２０が回転し、ホール素子３３の正面の磁界がＳ極３０からＮ極２９に変化し、便蓋閉状態を検知する。その検知信号により、人体検知センサ１０への通電を再びＯＦＦさせる。従って、人体検知センサ１０が便蓋６を誤検知することは無くなる。
【００１４】
以上のように本発明によれば、便座、または、便蓋が倒伏状態であっても、開放状態であっても便座、または、便蓋を誤検知することはない。また、外観を著しく損なうこともない。
【００１５】
次に、第二の実施例を図１１、１２、１３、１５を参照しながら説明する。
人体検知センサ１０と、第２の人体検知センサ４０は、センサ取付台９に挿入された状態で引っかかり部に係合し、センサ取付台９はケーシング４の中でセンサ取付台固定具８でセンサ取付台用ボス７に取り付けられている。
人体検知センサ１０と、第２の人体検知センサ４０は、発光部と受光部を持つ光センサ式であり、ケースカバー４には、光を透過するフィルター１１が設けられている。
ここで、人体検知センサ１０は、便座上の人体の有無を検知する装置で、第２の人体検知センサ４０は、便器前の人体の有無を検知する装置である。
人体検知センサ１０の投光角度、及び、第２の人体検知センサ４０の投光角度は、便座５の倒伏角度と開放角度の略中心を狙っている。
これら、人体検知センサ１０、第２の人体検知センサ４０、便蓋開閉検知装置４１、及び、便座開閉検知装置４２は、電磁弁４４、流調モーター４５、ノズルモーター４６、脱臭モーター４７、便器洗浄モーター４８、便蓋開閉モーター４９、便座開閉モーター５０と共に制御部４３に電気的に接続されている。
また、便座５、便蓋６の姿勢を感知する便蓋開閉検知装置４１、便座開閉検知装置４２を備え、便座５、便蓋６の姿勢に応じて、人体検知センサ１０と、第２の人体検知センサ４０の通電を判別する。
さらには、便座５、便蓋６が倒伏状態のとき、便座上の人体の有無を検知する人体検知センサ１０、及び、便器前の人体の有無を検知する第２の人体検知センサ４０を通電させず、便座５が倒伏状態で、且つ、便蓋６が開放状態のとき、便座上の人体の有無を検知する人体検知センサ１０のみ通電させ、便座５、便蓋６が共に開放状態のとき、便器前の人体の有無を検知する第２の人体検知センサ４０のみ通電させる。
【００１６】
男性の小便時、すなわち、便座が開いた状態では（図１２）、人体検知センサ１０と第２の人体検知センサ４０の感知領域は便座下方となるため、人体検知センサ１０、第２の人体検知センサ共に便座を誤検知することがない。
そして、用足し後に便器から離れれば、第２の人体検知センサにて人体が便器から離れたことを検知でき、非検知信号に基づいて、自動的に便蓋６を閉じたり、便器洗浄をすることができる。
また、図１５に示すように、人体検知センサ１０と、第２の人体検知センサ４０の通電タイミングをずらすことにより、光の誤干渉を防ぐことができ、誤検知を防止できる。
【００１７】
以上のように本発明によれば、便座、または、便蓋が倒伏状態であっても、開放状態であっても便座、または、便蓋を誤検知することはない。また、外観を著しく損なうこともない。さらには、通電時間が短くなるため、センサの寿命も向上する。
【００１８】
さらに、図１６に示すように、人体検知センサ１０と、第２の人体検知センサ４０の使用する光の波長域を異ならせる。これにより、人体検知センサ１０と、第２の人体検知センサ４０とを同じタイミングで通電しても、誤検知することはない。
【００１９】
以上本発明の実施例を詳述したが、これはあくまでも一例であり、本発明の要旨を変更しない限り、種々の変形が可能である。
また、人体検知センサは、便座上の人体を検知でき、且つ、便器前の人体も検知できる広いレンジのタイプとしても良い。
【図面の簡単な説明】
【図１】衛生装置の実施例である衛生洗浄装置を洋風便器に装着した外観図である。
【図２】人体検知センサをケースプレートに取り付けた状態図である。
【図３】便座、便蓋、係合軸、ケーシング、回転減速装置の取付状態を示す図である。
【図４】回転減速装置に磁石を装着し、ホールＩＣ基板を取り付けた状態を示す図である。
【図５】回転減速装置に磁石を装着し、ホールＩＣを取り付けた状態の断面図である。
【図６】磁石とホール素子の位置関係を示す図である。
【図７】便座の倒伏状態と開放状態における人体検知センサの感知領域を示す図である。
【図８】便座、便蓋が倒伏状態における人体検知センサ、便座、便蓋、ケースカバー、フィルターの状態を示す断面図である。
【図９】便座が倒伏状態で、且つ、便蓋が開放状態における人体検知センサ、便座、便蓋、ケースカバー、フィルターの状態を示す断面図である。
【図１０】便座、便蓋が開放状態における人体検知センサ、便座、便蓋、ケースカバー、フィルターの状態を示す断面図である。
【図１１】人体検知センサと、第２の人体検知センサをケースプレートに取り付けた状態図である。
【図１２】便座、便蓋が開放状態における人体検知センサ、第２の人体検知センサ、便座、便蓋、ケースカバー、フィルターの状態を示す断面図である。
【図１３】衛生洗浄装置の制御系統を示すブロック図である。
【図１４】第一の実施例のタイムチャートを示す図である。
【図１５】第二の実施例のタイムチャートを示す図である。
【図１６】人体検知センサと第２の人体検知センサの波長域を示す図である。
【図１７】従来の衛生洗浄装置本体でケーシングの一側に操作ボックスを設けたものを示す図である。
【図１８】従来の衛生洗浄装置本体で便蓋の裏面部と便座の座面との隙間から投光するものを示す図である。
【符号の説明】
１    衛生洗浄装置本体
２    洋風便器
３    ケースプレート
４    ケーシング
５    便座
６    便蓋
７    センサ取付台用ボス
８    センサ取付台固定具
９    センサ取付台
１０  人体検知センサ
１１  フィルター
１２  回転減速装置
１３  係合軸
１４  ケースカバーの貫通穴
１５  係合穴部
１６  便座Ｕ字貫通穴部
１７  便蓋Ｕ字係合穴部
１８  回転減速装置用ボス
１９  回転減速装置本体
２０  回転減速装置軸
２１  軸受け
２２  本体カバーナット
２３  Ｏリング
２４  Ｏリング
２８  磁石
２９  Ｎ極
３０  Ｓ極
３１  ホールＩＣ基板取付用ボス
３２  ホールＩＣ基板
３３  ホール素子
４０  第２の人体検知センサ
４１  便蓋開閉検知装置
４２  便座開閉検知装置
４３  制御部
４４  電磁弁
４５  流調モーター
４６  ノズルモーター
４７  脱臭モーター
４８  便器洗浄モーター
４９  便蓋開閉モーター
５０  便座開閉モーター
【図１】
0003632525.tif 000002
【図２】
0003632525.tif 000003
【図３】
0003632525.tif 000004
【図４】
0003632525.tif 000005
【図５】
0003632525.tif 000006
【図６】
0003632525.tif 000007
【図７】
0003632525.tif 000008
【図８】
0003632525.tif 000009
【図９】
0003632525.tif 000010
【図１０】
0003632525.tif 000011
【図１１】
0003632525.tif 000012
【図１２】
0003632525.tif 000013
【図１３】
0003632525.tif 000014
【図１４】
0003632525.tif 000015
【図１５】
0003632525.tif 000016
【図１６】
0003632525.tif 000017
【図１７】
0003632525.tif 000018
【図１８】
0003632525.tif 000019